(57)【要約】  整流子被膜が過剰に生成することに起因する、温度上昇や摺動音の増大を抑制することができるカーボンブラシの提供を目的としている。  本発明は、表面及び内部に気孔を有するカーボンブロック基材を備え、モータに設けられた整流子に接触して摺動するカーボンブラシであって、上記モータの作動時におけるカーボンブラシの温度よりも沸点が高い石油系溶剤と、油脂とから成る懸濁液が、上記気孔内に存在することを特徴とするものであり、上記カーボンブロック基材に対する上記懸濁液の割合は、０．５重量％以上６重量％以下であることが望ましい。
2013180156.tif 000002
【特許請求の範囲】
【請求項１】
表面及び内部に気孔を有するカーボンブロック基材を備え、モータに設けられた整流子と接触して摺動するカーボンブラシであって、
上記モータの作動時におけるカーボンブラシの温度よりも沸点が高い石油系溶剤と油脂とから成る懸濁液が、上記気孔内に存在することを特徴とするカーボンブラシ。
【請求項２】
上記カーボンブロック基材に対する上記懸濁液の割合が、０．５重量％以上６重量％以下である、請求項１に記載のカーボンブラシ。
【請求項３】
上記懸濁液の総量に対する上記油脂の割合が、３重量％以上６０重量％以下である、請求項１又は２に記載のカーボンブラシ。
【請求項４】
上記石油系溶剤の沸点が、１４０℃以上２５０℃以下である、請求項１〜３の何れか１項に記載のカーボンブラシ。
【請求項５】
上記石油系溶剤の２０℃での蒸気圧が、１ｋＰａ以下である、請求項１〜４の何れか１項に記載のカーボンブラシ。
【発明の詳細な説明】
【技術分野】
【０００１】
本発明は、洗濯機用整流子モータや電動工具モータ等に用いられるカーボンブラシに関するものである。
【背景技術】
【０００２】
従来より、電動工具や洗濯機では、整流子モータが多く使用されている。当該モータでは、複数に分割された整流子の接触部がブラシと摺動することにより、コイルを巻回した電機子に電源から電流が供給され、電機子が回転する構造となっている。【０００３】
ここで、上記モータでは、モータ駆動時にはブラシと整流子とが摺動することから、摺動音が大きくなるという問題があった。また、カーボンブラシの火花放電等に起因して、整流子被膜が過剰に生成されて、通電時にブラシ（モータ）の温度上昇を招くという問題もあった。【０００４】
従来、カーボンブラシの火花抑制を目的として、モータの昇温に応じて気化する液体（沸点６０〜１３０℃のアルコール）と潤滑性合成油とを懸濁したものを含浸し、温度に応じて気化した液体の圧力により摺動面に合成油が染み出るブラシが提案されている（下記特許文献１参照）。
【先行技術文献】
【特許文献】
【０００５】
【特許文献１】特開２００７−４９８９４号公報
【発明の概要】
【発明が解決しようとする課題】
【０００６】
ここで、上記特許文献１に記載の提案であれば、摺動面に合成油のみ染み出てくる構成であるが、当該構成では、カーボンブラシの火花抑制を十分に達成することができない。このため、整流子被膜が過剰に生成されて、通電時の温度上昇を招いたり、ブラシと整流子との摩擦が増大するため、摺動音が大きくなるという課題を有していた。【０００７】
そこで本発明は、整流子被膜が過剰に生成することに起因する、温度上昇と摺動音の増大とを十分に抑制することができるカーボンブラシの提供を目的としている。
【課題を解決するための手段】
【０００８】
本発明は、表面及び内部に気孔を有するカーボンブロック基材を備え、モータに設けられた整流子と接触して摺動するカーボンブラシであって、上記モータの作動時におけるカーボンブラシの温度よりも沸点が高い石油系溶剤と油脂とから成る懸濁液が、上記気孔内に存在することを特徴とする。
【発明の効果】
【０００９】
本発明によれば、温度上昇を抑制でき、且つ、摺動音が大きくなることも抑制できるといった優れた効果を奏する。
【図面の簡単な説明】
【００１０】
【図１】カーボンブラシを用いたモータの騒音レベルを測定する方法を示す説明図である。
【図２】カーボンブラシのブラシ温度を測定する方法を示す説明図である。
【図３】本発明ブラシＡ及び比較ブラシＺにおける、サイクル数と騒音レベルとの関係を示すグラフである。
【図４】本発明ブラシＡ及び比較ブラシＺにおける、サイクル数とブラシ温度との関係を示すグラフである。
【発明を実施するための形態】
【００１１】
本発明は、表面及び内部に気孔を有するカーボンブロック基材を備え、モータに設けられた整流子と接触して摺動するカーボンブラシであって、上記モータの作動時におけるカーボンブラシの温度よりも沸点が高い石油系溶剤と油脂とから成る懸濁液が、上記気孔内に存在することを特徴とする。
【００１２】
上記懸濁液は、油脂の粒子が石油系溶剤中に分散し、流動性を保持した状態で存在する。また、カーボンブラシ作製当初は、カーボンブロック基材の表面及び内部に形成された気孔内に懸濁液が存在する一方、モータ作動後は、気孔内から、カーボンブラシと整流子との接触部に、懸濁液が徐々に排出される。そして、気孔内から懸濁液が排出されると、油脂は、カーボンブラシと整流子との接触部において、カーボンブラシの潤滑性を改善し、摺動音を低減するという役割を果たす。但し、カーボンブラシと整流子との接触部に、油脂のみが存在すると、上述の如く、ブラシの火花によって、整流子被膜が過剰に生成されるため、通電時にブラシの温度が大きく上昇したり、摺動音が十分に低減できないという問題がある。
【００１３】
しかしながら、上記構成の如く、懸濁液に石油系溶剤が含まれていれば、この石油系溶剤は、整流子表面の油脂を適度にクリーニングして、整流子被膜が過剰に生成するのを防止する。したがって、通電時にブラシが温度上昇するのを抑制でき、しかも、摺動音が小さくなる。また、石油系溶剤の沸点は、モータの作動時におけるカーボンブラシの温度よりも高いので、モータ作動時に、石油系溶剤が急激に蒸発して上記作用効果が発揮できなくなる、といった事態が発生するのを抑制できる。即ち、上記作用効果が長期間に亘って発揮される。
【００１４】
また、カーボンブロック基材の気孔中に充填された懸濁液は、流動性が保持されていることで、外圧（回転速度の増減による加速度や、遠心力に起因して発生）によって狭い空隙を動く。したがって、ダッシュポット効果によって、振動吸収作用が発揮される。この結果、ブラシの振動が抑制されて、整流子との接触が安定化するので、摺動音が一層低減される。
尚、上記油脂には、固形状のものや、半固形状のものを用いることができる。
【００１５】
上記カーボンブロック基材に対する上記懸濁液の割合が、０．５重量％以上６重量％以下であることが望ましい。
カーボンブロック基材に対する懸濁液の割合が０．５％重量％未満では、整流子被膜が過剰に生成するのを十分に抑制できず、ブラシの温度上昇を抑制したり、摺動音を十分に低減するという作用効果が十分に発揮されないことがある。また、ダッシュポット効果による振動抑止効果が小さくなるため、この点からも、摺動音を十分に低減できないことがある。一方、当該割合が６重量％を超えると、モータ運転時の温度上昇によって懸濁液の体積が大きく増加し、懸濁液が吹き出すために、整流子やブラシ周りを汚損したり発煙することがある。
【００１６】
上記懸濁液の総量に対する上記油脂の割合が、３重量％以上６０重量％以下であることが望ましい。
懸濁液の総量に対する油脂の割合が３重量％未満では、カーボンブラシの潤滑性が十分に発揮されず、摺動音の低減を十分に達成できないことがある。一方、当該割合が６０重量％を超えると、石油系溶剤が少な過ぎて、整流子の表面の油脂を適度にクリーニングできず、整流子被膜が過剰に生成することがある。
【００１７】
上記石油系溶剤の沸点が、１４０℃以上２５０℃以下であることが望ましい。
石油系溶剤の沸点が１４０℃未満の場合には、モータの作動温度よりも石油系溶剤の沸点が低くなることがあり、当該沸点が２５０℃を超える有機溶剤はモータの動作温度において流動性が乏しく、油脂の滲出が不十分になったり、クリーニング効果が低下するからである。
【００１８】
上記石油系溶剤の２０℃での蒸気圧は、１ｋＰａ以下であることが望ましい。
常温での蒸気圧が１ｋＰａを上回ると、溶剤が速やかに揮発してしまうことで、基材に残らなくなる恐れが生じる。
【実施例】
【００１９】
以下、本発明を実施例に基づき具体的に説明するが、本発明のカーボンブラシは下記実施例の内容によって制限されるものではない。
〔実施例〕
本発明のカーボンブラシを、以下のようにして作製した。【００２０】
先ず、黒鉛粉の総量に対する割合が５０重量％となるように、バインダーとしてのピッチを加えた。次に、上記ピッチの融点より高い温度で混捏した後、冷却して粉砕し４０メッシュパスの成形原料を得た。次いで、この成形原料をプレス装置により加圧成形し、非酸化雰囲気の下で高温焼成することによりバインダーを炭化させて、カーボンブロック基材を得た。この後、このカーボンブロック基材を所定の寸法に切削加工した後、カーボンブロック基材にリード線を取り付けた。【００２１】
しかる後、カーボンブロック基材の表面及び内部に形成された気孔内に懸濁液を含浸させることにより、洗濯機用モータに使用されるカーボンブラシを作製した。
懸濁液の含浸は、以下のようにして行った。先ず、油脂と石油系溶剤とから成る含浸液に上記カーボンブロック基材を２０分浸漬して、カーボンブロック基材の気孔内に含浸液を含浸させた。尚、上記油脂としては、耐熱グリース（潤滑性改良剤としての二硫化モリブデンが３重量％添加され、粘稠剤としてベントナイト粘土が７重量％添加されたもの）を用いた。上記石油系溶剤としては、工業用の炭化水素系溶剤（イソパラフィン系のもの〔ミネラルスピリット〕であって、沸点は１９０℃、２０℃での蒸気圧は０．１〜０．２ｋＰａ）を用いた。また、石油系溶剤に対する油脂の割合は５重量％とした。次いで、余分な含侵液を脂ぎりした後、５０℃で通風乾燥することにより、余分な石油系溶剤を除去した。このような工程を経て、気孔内に懸濁液（含浸液中の余分な石油系溶剤を除去した液）を含浸できる。尚、含浸前後における重量変化から算出すると、カーボンブロック基材に対する上記懸濁液の割合は、１．５重量％であった。
このようにして作製したカーボンブラシを、以下、本発明ブラシＡと称する。【００２２】
〔比較例〕
カーボンブロック基材の表面及び内部に形成された気孔内に、懸濁液を含浸させないこと以外は、上記実施例と同様にしてカーボンブラシを作製した。
このようにして作製したカーボンブラシを、以下、比較ブラシＺと称する。【００２３】
〔実験〕
上記本発明ブラシＡ及び比較ブラシＺを、各々、ドラム洗濯機用の整流子モータにセットし、洗濯時における実際の運転状況を再現した試験台で、下記条件で運転した。そして、この運転時におけるモータの騒音レベルとブラシの温度とを測定したので、それらの結果を、各々図３及び図４に示す。【００２４】
・実験条件整流子の種類：銅整流子
回転数：洗濯時７３０ｒｐｍ（１サイクル中の時間：６０分）
脱水時１６０００ｒｐｍ（１サイクル中の時間：１０分）
１サイクル：８０分
ブラシ圧：５８ＫＰａ
測定時間：１９時間（１４サイクル）【００２５】
・騒音レベルの測定方法
図１に示すように、カーボンブラシ３と騒音計４との距離Ｌ１は５０ｃｍとなるようにして、騒音レベルを測定した。尚、図１において、１はモータ、２は整流子である。
・ブラシ温度の測定方法
図２に示すように、ブラシ本体６とブラシホルダー７との境界位置から熱電対８までの距離Ｌ３は２ｍｍとなるようにして測定した。尚、ブラシ本体６の露出長さＬ２は２ｍｍとした。【００２６】
図３から明らかなように、本発明ブラシＡは比較ブラシＺに比べて、騒音レベルが約５ｄＢ低下していることが認められる。また、図４から明らかなように、本発明ブラシＡは比較ブラシＺに比べて、ブラシ温度が１０〜２０℃低下していることが認められる。【００２７】
（その他の事項）
（１）上記実施例では、含浸液において、石油系溶剤に対する油脂の割合を５重量％としたが、これに限定するものではない。但し、当該割合は、１重量％以上３０重量％以下であることが望ましい。このように限定するのが好ましいのは、当該割合が１重量％未満であると、油脂の割合が少な過ぎて、潤滑性が十分に向上しないことがある。一方、当該割合が３０重量％を超えると、含浸液の粘度が高くなって、十分な量の含浸液を気孔内に含浸できないことがあるという理由による。【００２８】
尚、含浸液がこのような割合に規制されていれば、カーボンブロック基材の気孔内に含浸液を含浸させた後、余分な石油系溶剤を除去して気孔内に懸濁液を含浸させる際、カーボンブロック基材に対する懸濁液の割合が、０．５重量％以上６重量％以下となるように、容易に規制できる。【００２９】
（２）石油系溶剤としては上述したものに限定するものではなく、９０℃以上の沸点を有するイソブチルアルコール、イソペンチルアルコール、エチレングリコールモノエチルエーテル、エチレングリコールモノメチルエーテル、クロルベンゼン、酢酸イソブチル、酢酸ノルマル−ブチル、酢酸ノルマル−プロピル、１，４−ジオキサン、テトラクロロエチレン、トルエン、１−ブタノール、メチルイソブチルケトン、メチル−ノルマル−ブチルケトン等であっても良く、好ましくは１４０℃以上の沸点を有するエチレングリコールモノエチルエーテルアセテート、エチレングリコールモノ−ノルマル−ブチルエーテル、オルト−ジクロロベンゼン、クレゾール、酢酸イソペンチル、酢酸ノルマル−ペンチル、シクロヘキサノール、シクロヘキサノン、Ｎ・Ｎ−ジメチルホルムアミド、スチレン、メチルシクロヘキサノール、メチルシクロヘキサノン、石油ナフサ、ミネラルスピリット等であっても良い。但し、石油系溶剤は、沸点が９０℃以上２５０℃以下（特に、１４０℃以上２５０℃以下）で、油脂の洗浄、溶解能力を有し、しかも、臭気の小さいものが望ましい。したがって、エチレングリコールモノエチルエーテルアセテート、エチレングリコールモノ−ノルマル−ブチルエーテル、石油ナフサ、ミネラルスピリット等であることが一層好ましい。その中でも、２０℃での蒸気圧が１ｋＰａ以下であるものがより一層好ましく、上記４種の溶剤は概ね１ｋＰａ以下であるが、品種によってバラツキのあるものは、１ｋＰａの品種を選定するのが好ましい。【００３０】
（３）油脂としてはワックスや粘稠剤を加えた油脂を使用する。また、これに潤滑性を改良する添加剤が加えられていても良い。
油脂としては、グリース類を好適に用いることができ、特にベントナイト粘土などを粘凋剤に用いた高温適性型のグリースが適している。ワックスとしては、モンタンワックス等の鉱物系ワックス、パラフィンワックス等の石油系ワックス、合成ワックス、ポリエチレン系ワックス、ステアリン酸等を適宜用いることが出来る。
また粘稠剤としては、上述のベントナイト粘土の他に、カオリナイト、ハロイサイト等を用いることが出来る。
更にまた、潤滑を改良する添加剤としては、上述の二硫化モリブデンの他に、二硫化タングステン、窒化ホウ素、フッ化黒鉛、酸化ビスマス、酸化コバルト、酸化ニッケル、酸化マンガン、酸化クロム、酸化アンチモン、酸化アルミニウム、酸化ケイ素、酸化スズ等を用いることができる。
【産業上の利用可能性】
【００３１】
本発明は洗濯機用整流子モータや電動工具モータ等に用いることができる。
【符号の説明】
【００３２】
１：モータ
２：整流子
３：カーボンブラシ
４：騒音計
６：ブラシ本体
７：ブラシホルダー
８：熱電対
【図１】
2013180156.tif 000003
【図２】
2013180156.tif 000004
【図３】
2013180156.tif 000005
【図４】
2013180156.tif 000006
【国際調査報告】
2013180156.tif 000007
2013180156.tif 000008